(57)【要約】【課題】フラップの折畳状態を保持し、段ボール箱の内部空間を有効に利用できる段ボール箱を提供する。【解決手段】段ボール箱１は、長方形状を呈する長側面２ａ、長側面２ａに対して幅の短い短側面２ｂ、それぞれの側面の上縁１０，１１から延設された長フラップ３ａ、短フラップ３ｂを有し、さらに、長フラップ３ａを切込んで係止片７が設けられている。ここで、係止片７は、フラップ短辺３ｃに近接して平行に設けられた折線からなる折線部と、一端が折線部に接続した首部と、首部の幅に対して拡幅した引掛部を有している。また、短フラップ３ｂには、展開状態で係止片７に対して９０度回転した状態で、係止孔８が配置されている。【選択図】        図２
2004323027.tif 000002
【特許請求の範囲】
【請求項１】
対向する一対の第一側面の上縁から延設され、一部を切込んで形成された係止片を有する第一フラップと、
前記第一側面に連接された一対の第二側面の上縁から延設され、前記第一フラップが上方から折重ねられた際に前記係止片と係合可能な係止孔が穿設された第二フラップとを具備し、前記係止片および前記係止孔の係合により、前記第一フラップおよび前記第二フラップを折畳状態に保持する段ボール箱であって、
前記係止片は、
前記第一フラップのフラップ短辺に近接し、前記フラップ短辺に平行に形成された折線部と、
一端が前記折線部と接続された首部と、
前記首部の他端と接続し、前記首部の首幅に対して拡幅して形成された引掛部と
を具備することを特徴とする段ボール箱。
【請求項２】
前記首部は、
前記折線部から前記引掛部に向かって縮幅し、略台形状に形成され、
前記係止孔は、
前記係止片と略同一形状を呈して形成されていることを特徴とする請求項１に記載の段ボール箱。
【発明の詳細な説明】
【０００１】
【発明の属する技術分野】
本発明は、段ボール箱に関するものであり、特にフラップの折畳状態を保持する構成を有する段ボール箱に関するものである。
【０００２】
【従来の技術】
従来より、段ボール箱に野菜などの収容物を収容した後に、側面の上縁から延設された四枚のフラップ（折り曲げ蓋）を折畳み、粘着テープやステープル等によって固定し、蓋を形成することが行われている。そして、近年では、それらの作業を簡略化するために、前述の粘着テープ等の固定手段を用いないで、フラップに設けた係止片および係止孔の係合によりにより、フラップを折畳んだ状態に保持することが可能な段ボール箱が利用されることもある。一例を、以下に示す。
【０００３】
図６に示すように、段ボール箱１０１は、長方形状を呈する長側面１０２ａ、長側面１０２ａより幅の短い短側面１０２ｂ、長側面１０２ａおよび短側面１０２ｂの下縁と連接する底面１０３、長側面１０２ａの上縁から延設された長フラップ１０４ａ、短側面１０２ｂの上縁から延設された短フラップ１０４ｂとから主に構成されている。ここで、底面１０３を除き、長フラップ１０４ａ等はそれぞれ一対で形成されている。さらに、長フラップ１０４ａの角は切欠きが施され、切欠いた切端に係止片１０５が形成されている。ここで、係止片１０５は、長側面１０２ａの上縁に平行な折線からなる折線部１０５ａによって折曲げ可能に形成され、折線部１０５ａから延びた首部１０５ｃ、首部１０５ｃよりも拡幅して形成された略長方形状を呈する引掛部１０５ｂを有している。一方、短フラップ１０４ｂには、係止片１０５と係合可能で、引掛部１０５ｂより狭小な係止孔１０６が穿設されている。
【０００４】
そして、短フラップ１０４ｂの上方から長フラップ１０４ａを折重ねた後、係止片１０５を折線部１０５に沿って折込み、短フラップ１０４ｂの係止孔１０６に挿入する（図６における矢印Ａ）。このとき、係止孔１０６は引掛部１０５ｂより狭小に形成され、引掛部１０５ｂは係止孔１０６の孔縁と接し、挿入が制限される。しかしながら、係止片１０５は折曲げ可能な段ボール素材で形成されているため、引掛部１０５ｂは上方に向かって、くの字形状に折曲った状態になり、係止孔１０６に挿入される。その後、引掛部１０５ｂが段ボール素材の有する復元力によって、くの字形状からほぼ挿入前の状態に復元する。これにより、係止片１０５と係止孔１０６とが係合し、係止片１０５が折線部１０５ａを軸に上方に向かって復元しようとする動きが抑えられる。したがって、長フラップ１０４ａが元の状態に戻る（蓋が開く）ことが制限され、長フラップ１０４ａおよび短フラップ１０４ｂの折畳状態が保持される。これにより、段ボール箱１０１の蓋が閉った状態が創出され、内部に収容された野菜などが外気に直接さらされたり、外部の物と接触し傷が付くこと等が少なくなり保護される。
【０００５】
以上の従来技術は、公然に実施されているものであり、出願人は、この従来技術が記載された文献を、本願出願時においては知見していない。
【０００６】
【発明が解決しようとする課題】
ここで、係止孔１０６と係合状態にある係止片１０５は、長フラップ１０４ａのそれぞれの切端に形成され、さらに、長側面１０２ａの上縁に平行に形成された折線部１０５ｃにしたがって曲折しているため、段ボール箱１０１の箱内に折込まれた係止片１０５は、段ボール箱１０１の短幅方向の中央寄りに位置し、上方から箱内に突出している。したがって、大根等の農作物等を収容する場合に、突出した係止片１０５が農作物等と接触する恐れがあり、箱内の空間を有効に利用することができなくなるという問題があった。
【０００７】
また、長フラップ１０４ａの角を切欠いて係止片１０５が設けられているため、段ボール箱１０１の上面（長フラップ１０４ａおよび短フラップ１０４ｂを折重ねて形成される面）に長フラップ１０４ａの切端によって段ボールの厚さに相当する段差が形成される。そのため、例えば、段ボール箱１０１の長手方向（図６における矢印Ｂ方向）にスライドさせて他の段ボール箱１０１を積重ねる際に、該段差が他の段ボール箱１０１の底面１０３と引掛り、作業性が悪くなる等の問題があった。
【０００８】
そこで、本発明は、上記実情に鑑み、フラップの折畳状態を保持し、段ボール箱の箱内の空間を有効に利用できる段ボール箱を提供することを課題とする。
【０００９】
【課題を解決するための手段】
本発明に係る段ボール箱は、「対向する一対の第一側面の上縁から延設され、一部を切込んで形成された係止片を有する第一フラップと、前記第一側面に連接された一対の第二側面の上縁から延設され、前記第一フラップが上方から折重ねられた際に前記係止片と係合可能な係止孔が穿設された第二フラップとを具備し、前記係止片および前記係止孔の係合により、前記第一フラップおよび前記第二フラップを折畳状態に保持する段ボール箱であって、前記係止片は、前記第一フラップのフラップ短辺に近接し、前記フラップ短辺に平行に形成された折線部と、一端が前記折線部と接続された首部と、前記首部の他端と接続し、前記首部の首幅に対して拡幅して形成された引掛部とを具備することを」を、上述の課題を解決するための特徴とする。
【００１０】
ここで、段ボール箱は、四枚の側面を有し、各側面の上縁から延設された四枚のフラップを折畳むことによって蓋が形成され、直方体状の筐体に組立てられるもの（すなわち、各側面およびフラップは長方形状を呈する）が想定される。そして、第一フラップのフラップ短辺は、第一側面の上縁と直交する辺が相当する。さらに、第二側面の上縁近傍には、作業者が手指を挿入し、第一側面が作業者に対向した状態で段ボール箱を運搬するための長孔が形成されていることが多い。
【００１１】
したがって、本発明の段ボール箱によれば、係止片がフラップ短辺に近接し、フラップ短辺に平行に形成された折線部にしたがって曲折される。そして、係止片および係止孔が係合されることにより、第一フラップおよび第二フラップの折畳状態が保持される。このとき、段ボール箱の箱内の空間に突出した係止片の引掛部は、第二側面に近接し、引掛部の面と第二側面が対向する状態になる。すなわち、係止片が箱内周縁近傍に突出するため、大根等の収容物を収容する際に、収容物と接触することなどが少なくなり、箱内の空間を有効に利用することが可能となる。
【００１２】
また、第一側面を作業者に対向させた状態で、係止片を第二側面に向かって折込むことにより、作業者は第二側面に形成された長孔に手指を挿入した状態で、換言すれば運搬状態のままで、親指を利用して係止片を係止孔に挿入することが可能となる。したがって、例えば、段ボール箱の中に収容物を収容し、蓋をし（第一フラップおよび第二フラップを折り重ね、固定する）、積重ねるという一連の動作を手の向きを変更することなく、円滑に実施することができる。
【００１３】
上記段ボール箱を、「前記首部は、前記折線部から前記引掛部に向かって縮幅し、略台形状に形成され、前記係止孔は、前記係止片と略同一形状を呈して形成されている」ものとしてもよい。
【００１４】
これにより、係止片および係止孔が略同一形状を呈するため、係止片を係止孔に挿入する際に、引っ掛りが少なく、容易に挿入することが可能となる。したがって、係止片が折曲がることが少なくなり、段ボール箱の蓋に相当する第一フラップおよび第二フラップの開閉を繰返した際に、係止片の摩耗が少なくなり、段ボール箱を複数回に渡って繰返し使用することができる。
【００１５】
さらに、係止片の首部が折線部から引掛部に向かって縮幅して形成されているため、係止片を挿入する際に挿入し易く、さらに、係止孔が係止片と略同一形状に形成され、一部が縮幅して形成されているため、縮幅した部分によって係止片が上方に向かって復元しようとする動きが抑えられ、係止片がさらに抜け難くなる。
【００１６】
【発明の実施の形態】
以下、本発明の一実施形態である段ボール箱１について、図１乃至図５に基づいて詳しく説明する。ここで、図１は本実施形態である段ボール箱１の構成を示す展開図であり、図２は段ボール箱１の構成を示す斜視図であり、図３はフラップ固定機構１２の構成を示す拡大斜視図であり、図４はフラップ固定機構１２の構成を示す拡大平面図であり、図５はフラップ固定機構１２の構成を示す拡大断面図である。ここで、図３および図４は、係止片７が若干斜めに傾いて係止されている状態を示している。
【００１７】
図１乃至図５に示すように、段ボール箱１は、長方形状を呈する一対の長側面２ａと、長側面２ａに対して幅の短い一対の短側面２ｂと、それぞれの側面２ａ，２ｂの上縁１０，１１から延設された長フラップ３ａおよび短フラップ３ｂと、それぞれの側面２ａ，２ｂの下縁１３，１４から延設された底フラップ４ａ，４ｂ，４ｃと、長側面２ａおよび短側面２ｂを連結するために一方の長側面２ａに設けられた連結片５とから主に構成され、一枚の段ボールＤから筐体に組立てられるものである。なお、長フラップ３ａのフラップ短辺３ｃの長さは、短側面２ｂの上縁１１の略半分に形成されており、筐体に組立てられた際に、上面に隙間が形成されないものである。ここで、長側面２ａが本発明における第一側面に、短側面２ｂが第二側面に相当し、長フラップ３ａが本発明における第一フラップに、短フラップ３ｂが第二フラップに相当する。
【００１８】
そして、短側面２ｂの上縁１１近傍には、運搬時の作業性を良くするために、作業者の手指が挿入可能な大きさの長孔６が穿設されている。また、長フラップ３ａには、一部を切込んで係止片７が設けられている。ここで、係止片７は、フラップ短辺３ｃに近接して平行に設けられた折線からなる折線部７ａと、一端が折線部７ａと接続した首部７ｃと、首部７ｃの他端と接続し、首部７ｃの幅に対して拡幅して形成された引掛部７ｂとを具備している。そして、首部７ｃは、折線部７ａから引掛部７ｂに向かって縮幅し、台形状を呈している。ここで、台形の高さ（折線部７ａから引掛部７ｂまでの垂直距離に相当）は、段ボールＤの二枚分の厚さに相当する。また、短フラップ３ｂには、上方から長フラップ３ａを折重ねた際に係止片７を挿入可能な位置に、係止片７と略同一形状を呈する係止孔８が穿設されている。すなわち、係止孔８は、展開状態（図１参照）では係止片７に対して９０度回転した状態で配置されている。なお、本実施形態において、互いに係合して長フラップ３ａおよび短フラップ３ｂの折畳状態を保持する係止片７および係止孔８をフラップ固定機構１２と称する。
【００１９】
次に、段ボール箱１の組立て方法について説明する。まず、段ボールＤを折線９（図１における二点鎖線）に従って山折した後、連結片５に接着剤を塗布し、短側面２ｂに貼着する。これにより、展開した状態で隣接していない両端の長側面２ａおよび短側面２ｂが、連結片５を介して連結され、四枚の側面２ａ，２ｂによって筒状体が形成される。そして、底フラップ４ａ，４ｂ，４ｃを上側に向け、底フラップ４ａの上方から二枚の底フラップ４ｂを折重ね、底フラップ４ｃの差込み部を底フラップ４ａの下に差込む。これにより、開口した筐体が組立てられる。
【００２０】
そして、長側面２ａ、短側面２ｂ、および底面４ａ，４ｂ，４ｃに囲まれて形成された空間（以下、箱内の空間と称する。）に収容物（例えば、大根等の農作物等）を収容した後、短フラップ３ｂを折線９に従って折畳み、その上方から長フラップ３ａをさらに折畳んで重ねる。その後、係止片７を上方から係止孔８に押し込むことにより、係止片７は折線部７ａにしたがって箱内に向かって曲折されて、係止孔８に挿入される。このとき、係止孔８は係止片７と略同一形状に形成されているため、係止片７の周縁と係止孔８の孔縁が擦合いながら、係止片７は折曲ることなく、係止孔８に容易に挿入される。そして、首部７ｃは段ボールＤの二枚分の厚さに相当する高さに形成されているため、引掛部７ｂは短フラップ３ｂの下に位置する（図５参照）。
【００２１】
ここで、係止片７は、段ボールＤの復元力により、折線部７ａを軸に上方に向かって復元しようとする。しかしながら、係止片７を箱内に挿入した状態（図３乃至図５）において、引掛部７ｂは係止孔８より幅方向（図５において紙面左右方向に相当）に突出しているため、引掛部７ｂの突出した部分が短フラップ３ｂの下面に当接することにより、係止片７および係止孔８が係合し、係止片７の復元しようとする動きが抑えられる。さらに、係止孔８の縮幅した部分に首部７ｃの一部が当接し、摩擦により係止片７の動きが抑制される。これにより、長フラップ３ａが元の状態に戻る（蓋が開く）ことが制限され、長フラップ３ａおよび短フラップ３ｂの折畳状態が保持される。
【００２２】
また、折線部７ａがフラップ短辺３ａに近接して平行に形成されているため、係止片７が係止孔８と係合している際、引掛部７ｂは短側面２ｂに近接し、引掛部７ｂの面と短側面２ｂが対向した状態になる。したがって、段ボール箱１の蓋（長フラップ３ａおよび短フラップ３ｂに相当）を固定する際、四枚の係止片７が箱内の周縁近傍に突出するため、箱内に収容される野菜などに当たることが少なくなり、箱内の空間を有効に利用することが可能となる。
【００２３】
次に、段ボール箱１の使用方法について説明する。上述の通りに、開口した筐体に組立てられた段ボール箱１の中に、大根等の収容物を収容し、短フラップ３ｂ、および長フラップ３ａの順で折畳み、係止片７を係止孔８に押込む。ここで、段ボール箱１は短側面２ｂに長孔６を有するため、作業者（図示しない）は、長側面２ａを作業者に対向するように向けて、長孔６に手指（親指以外）を挿入して段ボール箱１を保持し、運搬する。そして、係止片７の折線部７ａがフラップ短辺３ｃに近接し、かつ長孔６が近傍に形成されているため、作業者は、長孔６に手指を挿入した状態（運搬する状態）で、手の向きを変更したり、長孔６から手を離すことなく、親指で全ての係止片７を押込むことが可能である。したがって、段ボール箱１の蓋（長フラップ３ａおよび短フラップ３ｂに相当）を固定し、続いて運ぶという一連の動作を円滑に進めることが可能となり、作業性がよくなる。
【００２４】
また、複数の段ボール箱１を上下に積重ねる場合、上述したように、長側面２ａを作業者に対向する方向に段ボール箱１を保持し、段ボール箱１の長手方向（図２における矢印Ｃ方向）にスライドさせながら重ねることが多い。ここで、長フラップ３ａは、長方形状を呈し、係止片７は、その周縁より内側に形成されている。そして、長フラップ３ａを折畳んだ際、フラップ短辺３ｃが短側面２ｂの上縁１１に重なっている。すなわち、段ボール箱１の上面に段差が形成されることが少なく、特に、段ボール箱１をスライドさせる方向に引っ掛りが少ないため、複数の段ボール箱１を容易に積重ねることができる。したがって、例えば、段ボール箱１に大根等の収容物を収容し、蓋をし（第一フラップおよび第二フラップを折り重ね、固定する）、積重ねるという一連の動作を円滑に実施することが可能となる。
【００２５】
さらに、係止片７の首部７ｃが、折線部７ａから引掛部７ｂに向かって縮幅し、係止孔８は、係止片７と略同一形状を呈している。したがって、係止片７を係止孔８に挿入する際に、引っ掛りが少なく、容易に挿入することができる。また、引掛部７ｂの突出した部分を折曲げる等して、挿入することがないため、段ボール箱１の蓋（長フラップ３ａ、および短フラップ３ｂに相当）の開閉を繰返した場合、引掛部７ｂの摩耗が少なく、段ボール箱１を複数回に渡って繰返し使用することができる。
【００２６】
また、首部７ｃの一部は、係止孔８の縮幅した部分に当接しており、係止片７が復元力によって折線部７ａを軸に上方に戻ろうとする動きがさらに抑制され、係止片７が抜け難くなる。そのため、例えば、段ボール箱１を積重ねたり、運搬する際に、衝撃が加わっても、係止片７が抜け難く、段ボール箱１の蓋が開くことが少なくなり、箱内の空間に収容された野菜などの収容物が保護される。
【００２７】
以上、本発明について好適な実施形態を挙げて説明したが、本発明はこれらの実施形態に限定されるものではなく、以下に示すように、本発明の要旨を逸脱しない範囲において種々の改良および設計の変更が可能である。
【００２８】
すなわち、係止片７の首部７ｃは、折線部７ａから一定の幅で形成されるものであってもよい。また、係止孔８は、係止片７と略同一の形状を呈するものを示したが、引掛部７ｂに対して狭小に形成された長方形状、長円形状等であってもよい。また、第一フラップ３ａのフラップ短辺３ｃを本実施形態より短く形成し、折畳んで蓋を形成した際に、上面に隙間が形成されるものであってもよい。これにより、段ボール箱１の中に収容された野菜等を確認することができる。
【００２９】
【発明の効果】
以上詳細に説明したように、本発明の段ボール箱は、段ボール箱の蓋に相当する第一フラップおよび第二フラップの折畳状態を保持するための係止片が、第一フラップのフラップ短辺の近傍に形成されている。そして、折線部がフラップ短辺に平行に形成されているため、係止片を折線部にしたがって折込み、係止孔に挿入すると、箱内の空間に突出する引掛部の面が第二側面に対向し、第二側面に近接した状態になる。すなわち、四枚の係止片が箱内の周縁近傍に突出する。そのため、箱内の空間に収容される収容物に、係止片が当たること等が少なくなり、箱内の空間を有効に利用することができる。また、係止片が第一フラップの周縁より内側に形成されているため、筐体に組立てられた際に、段ボール箱の上面の端に、段差が形成されない。そのため、段ボール箱を積重ねる際等に、引っ掛ることが少なくなり、積重ねる作業が容易になる。
【図面の簡単な説明】
【図１】本実施形態の段ボール箱の構成を示す展開図である。
【図２】本実施形態の段ボール箱の構成を示す斜視図である。
【図３】フラップ固定機構の構成を示す拡大斜視図である。
【図４】フラップ固定機構の構成を示す拡大平面図である。
【図５】フラップ固定機構の構成を示す拡大断面図である。
【図６】従来の段ボール箱の構成を示す斜視図である。
【符号の説明】
１  段ボール箱
２ａ  長側面（第一側面）
２ｂ  短側面（第二側面）
３ｃ  フラップ短辺
３ａ  長フラップ（第一フラップ）
３ｂ  短フラップ（第二フラップ）
７  係止片
７ａ  折線部
７ｂ  引掛部
７ｃ  首部
８  係止孔
１０，１１  上縁
【図１】
2004323027.tif 000003
【図２】
2004323027.tif 000004
【図３】
2004323027.tif 000005
【図４】
2004323027.tif 000006
【図５】
2004323027.tif 000007
【図６】
2004323027.tif 000008